(57)【要約】【課題】  複数の小型掛布団を組み合わせ大型掛布団とすることができる掛布団カバー、及び、掛布団セットを提供することを目的とする。【解決手段】  掛布団セット１は、掛布団カバー１０と、掛布団２０Ａと、掛布団２０Ｂとを有する。掛布団カバー１０は、矩形の袋状であり、掛布団２０Ａを収納する第１の領域１０５と、掛布団２０Ｂを収納する第２の領域１０６とを備えるカバー本体１００と、カバー本体１００の内側に設けられた帯状の生地であり、カバー本体１００の備える第１の領域１０５と第２の領域１０６とを隔てる仕切部１１０とを有する。仕切部１１０は、カバー本体１００の幅方向において、カバー本体１００の表側生地と裏側生地とに対して傾斜して設けられている。また、カバー本体１００の幅は、幅方向において一部を重ねた状態の掛布団２０Ａと掛布団２０Ｂとの総幅よりも短い。【選択図】図１
2020202905.tif 000002
【特許請求の範囲】
【請求項１】
矩形の袋状であり、第１の掛布団を収納する第１の領域と、第２の掛布団を収納する第２の領域とを備えるカバー本体と、
前記カバー本体の内側に設けられた帯状の生地であり、当該カバー本体の備える前記第１の領域と前記第２の領域とを隔てる仕切部と
を有し、
前記仕切部は、前記カバー本体の幅方向において、前記カバー本体の表側生地と裏側生地とに対して傾斜して設けられている
掛布団カバー。
【請求項２】
前記カバー本体の幅は、幅方向において一部を重ねた状態の第１の掛布団と第２の掛布団との総幅よりも短い
請求項１に記載の掛団用カバー。
【請求項３】
前記仕切部の幅は、４０ｃｍ以上６０ｃｍ以下の幅であり、
前記カバー本体の幅方向において、第１の領域と第２の領域との積層する部分が４０ｃｍ以上６０ｃｍ以下の幅で積層している
請求項２に記載の掛布団カバー。
【請求項４】
前記カバー本体の隣り合う２つの側辺に連続して設けられ、当該カバー本体の表側生地と裏側生地との結合又は分離を自在とするファスナー
をさらに有し、
前記ファスナーは、前記カバー本体の角を形成する側辺うち、前記仕切部を挟んで隣り合う２つの角を形成するそれぞれの側辺に設けられている
請求項３に記載の掛布団カバー。
【請求項５】
第１の掛布団と、
第２の掛布団と、
掛布団カバーと
を有し、
前記掛布団カバーは、
矩形の袋状であり、第１の掛布団を収納する第１の領域と、第２の掛布団を収納する第２の領域とを備えるカバー本体と、
前記カバー本体の内側に設けられた帯状の生地であり、当該カバー本体の備える前記第１の領域と前記第２の領域とを隔てる仕切部と
を有し、
前記仕切部は、前記カバー本体の表生地と裏生地とに対して傾斜して設けられている
掛布団セット。
【請求項６】
前記第１の掛布団と前記第２の掛布団とは、主として羽毛を充填した掛布団であり、幅方向において、中央部の羽毛の充填量より周縁部の羽毛の充填量が少ない
請求項５に記載の掛布団セット。
【発明の詳細な説明】
【技術分野】
【０００１】
本発明は、掛布団カバー、及び、掛布団セットに関する。
【背景技術】
【０００２】
例えば、特許文献１には、所定サイズの掛布団２枚を包んで１つの大きいサイズの掛布団と同様に用いるための掛布団カバーであり、矩形状の袋状に形成され、少なくとも１辺に布団出し入れ用開口を有する本体と、前記本体の内部に設けられた布団保持部材とを含んでおり、前記本体は前記所定サイズの２枚の掛布団を短手方向に横に並べ、且つ、該両掛布団の互いに隣合う布団長手方向に沿う端部が重なり合うように一部重なり並べ状態で収容できる大きさに形成されており、前記布団保持部材は、前記本体に前記一部重なり並べ状態で収容される前記２枚の掛布団のそれぞれを該状態に保持すべく該各掛布団の所定部分を前記本体に連結できるように該所定部分に対応して設けられていることを特徴とする掛布団カバーが開示されている。
【０００３】
また、特許文献２には、表裏の側生地からなる側地内にふとん体を収納する収納部が形成されたふとんカバーであって、前記収納部は、前記カバーの一側縁に平行して表裏に側生地に夫々止着された２列の仕切布により、互いに平行する３個の区画に区分され、前記３個の区分は、ふとん本体を収納するための中央部の１個のふとん本体収納部と、補助ふとん体を収納するための両側の２個の補助収納部とから構成されてなることを特徴とするふとんカバーが開示されている。
【先行技術文献】
【特許文献】
【０００４】
【特許文献１】特開２００２−１７７１１１号公報
【特許文献２】実開昭６３−１６７９５６号公報
【発明の概要】
【発明が解決しようとする課題】
【０００５】
本発明は、複数の小型掛布団を組み合わせ大型掛布団とすることができる掛布団カバー、及び、掛布団セットを提供することを目的とする。
【課題を解決するための手段】
【０００６】
本発明に係る掛布団カバーは、矩形の袋状であり、第１の掛布団を収納する第１の領域と、第２の掛布団を収納する第２の領域とを備えるカバー本体と、前記カバー本体の内側に設けられた帯状の生地であり、当該カバー本体の備える前記第１の領域と前記第２の領域とを隔てる仕切部とを有し、前記仕切部は、前記カバー本体の幅方向において、前記カバー本体の表側生地と裏側生地とに対して傾斜して設けられている。
【０００７】
好適には、前記カバー本体の幅は、幅方向において一部を重ねた状態の第１の掛布団と第２の掛布団との総幅よりも短い。
【０００８】
好適には、前記仕切部の幅は、４０ｃｍ以上６０ｃｍ以下の幅であり、前記カバー本体の幅方向において、第１の領域と第２の領域との積層する部分が４０ｃｍ以上６０ｃｍ以下の幅で積層している。
【０００９】
好適には、前記カバー本体の隣り合う２つの側辺に連続して設けられ、当該カバー本体の表側生地と裏側生地との結合又は分離を自在とするファスナーをさらに有し、前記ファスナーは、前記カバー本体の角を形成する側辺うち、前記仕切部を挟んで隣り合う２つの角を形成するそれぞれの側辺に設けられている。
【００１０】
また、本発明に係る掛布団セットは、第１の掛布団と、第２の掛布団と、掛布団カバーとを有し、前記掛布団カバーは、矩形の袋状であり、第１の掛布団を収納する第１の領域と、第２の掛布団を収納する第２の領域とを備えるカバー本体と、前記カバー本体の内側に設けられた帯状の生地であり、当該カバー本体の備える前記第１の領域と前記第２の領域とを隔てる仕切部とを有し、前記仕切部は、前記カバー本体の表生地と裏生地とに対して傾斜して設けられている。
【００１１】
好適には、前記第１の掛布団と前記第２の掛布団とは、主として羽毛を充填した掛布団であり、幅方向において、中央部の羽毛の充填量より周縁部の羽毛の充填量が少ない。
【発明の効果】
【００１２】
本発明によれば、複数の小型掛布団を組み合わせ大型掛布団とすることができる。
【図面の簡単な説明】
【００１３】
【図１】実施例における掛布団セット１を例示する組立図である。
【図２】実施例における掛布団セット１を例示する分離図である。
【図３】図１及び図２に例示する掛布団２０を例示する図である。
【図４】図１及び図２に例示する掛布団カバー１０を詳細に説明する図である。
【発明を実施するための形態】
【００１４】
以下、本発明に係る実施形態を、図面を参照して説明する。ただし、本発明の範囲は、図示例に限定されるものではない。
まず、図１〜図４を参照し、本実施例における掛布団セット１の構成を説明する。
図１は、実施例における掛布団セット１を例示する組立図であり、図１（Ａ）は、掛布団セット１の斜視図を例示し、図１（Ｂ）は、掛布団セット１の断面図を例示する。
図２は、実施例における掛布団セット１を例示する分離図である。
図１及び図２に例示するように、掛布団セット１は、掛布団カバー１０と、掛布団２０とを有する。掛布団カバー１０は、２つの掛布団２０を並べた状態で包むことができるため、使用者は、２つの掛布団２０を１枚の掛布団として使用することができる。
【００１５】
（掛布団カバー１０）
図１及び図２に例示した掛布団カバー１０は、カバー本体１００と、仕切部１１０と、ファスナー１３０とを有する。
カバー本体１００は、後述する掛布団２０Ａを収納する第１の領域１０５と、後述する掛布団２０Ｂを収納する第２の領域１０６とを備える矩形の袋体である。カバー本体１００は、後述する仕切部１１０により、カバー本体１００の内部領域を第１の領域１０５と第２の領域１０６との２つの領域に仕切られている。本例のカバー本体１００は、幅方向において２つの掛布団２０の一部を重ね並べた状態で包むことができる。
また、カバー本体１００は、第１の領域１０５の少なくとも四隅と、第２の領域１０６少なくとも四隅とにそれぞれ固定用紐（不図示）を設けている。カバー本体１００は、掛布団２０の四隅に設けた固定用リング（後述）に固定用紐を結束することにより、カバー本体１００の内側における掛布団２０の位置ずれを防止する。なお、カバー本体１００は、第１の領域１０５及び第２の領域１０６の四隅に加えて側辺にも設けてもよい。
【００１６】
仕切部１１０は、カバー本体１００の内側に設けられた帯状の生地である。仕切部１１０は、カバー本体１００の内部領域を複数の領域に仕切るために設けられている。本例の仕切部１１０は、カバー本体１００の長さ方向において、カバー本体１００の内部領域を仕切ることにより、カバー本体１００の内部領域を第１の領域１０５と第２の領域１０６との２つの領域に仕切ることができる。
また、仕切部１１０は、カバー本体１００の幅方向において、カバー本体１００の表側生地である平面表生地１０１Ａと、裏側生地である平面裏生地１０１Ｂとに対して傾斜して設けられる。本例の仕切部１１０は、第１の領域１０５を左側に配置し、第２の領域１０６を右側に配置した場合、平面表生地１０１Ａから平面裏生地１０１Ｂに向かって、右下がりとなるよう傾斜して縫着される。なお、右上がりとなるよう傾斜して縫着してもよい。仕切部１１０を設けることにより、掛布団セット１の使用時において、第１の領域１０５に収納した掛布団２０Ａと、第２の領域１０６に収納した掛布団２０Ｂとの積層する部分が分離しにくくなる。
【００１７】
ファスナー１３０は、カバー本体１００の側辺に設けられ、カバー本体１０の表側生地と裏側生地との結合又は分離を自在とする留め具である。ファスナー１３０には、例えば、点ファスナー、線ファスナー、及び、面ファスナーが含まれ、本例のファスナー１３０は、線ファスナーである。
ファスナー１３０は、カバー本体１００の隣り合う２つの側辺に連続して設けられる。換言すると、ファスナー１３０は、カバー本体１００の側辺にＬ字型となるよう設けている。本例のファスナー１３０は、カバー本体１００のうち、掛布団２０Ａを収納する第１の領域１０５と、掛布団２０Ｂをを収納する第２の領域１０６と近接する側辺に、ファスナー１３０Ａ及びファスナー１３０Ｂをそれぞれ設けている。また、ファスナー１３０Ａ及びファスナー１３０Ｂは、仕切部１１０を挟んで、互いに対向する位置であり、かつ、隣り合う２つの側辺のうち１つの側辺が共通している。換言すると、ファスナー１３０Ａ及びファスナー１３０Ｂは、カバー本体１００の角を形成する側辺うち、仕切部１１０を挟んで、隣り合う２つの角を形成するそれぞれ側辺に設けている。
これにより、使用者は、カバー本体１００の隣り合う位置の２つの角をそれぞれ開閉し、２つの掛布団２０をそれぞれ出し入れすることができる。
【００１８】
（掛布団２０）
図１及び図２に例示した掛布団２０は、掛布団カバー１０の第１の領域１０５又は第２の領域１０６に収納することのできる大きさの掛布団であり、掛布団２０Ａと掛布団２０Ｂとを有する。なお、掛布団２０Ａおよび掛布団２０Ｂは、略同じ構成であり、以下、掛布団２０Ａ及び掛布団２０Ｂを特に区別する必要がない場合は、単に、掛布団２０と称呼する。掛布団２０の少なくとも四隅には、それぞれ固定用リング（不図示）を設けており、第１の領域１０５又は第２の領域１０６に収納した場合に、固定用リングは、カバー本体１００の内側に設けた固定用紐と結束する。これにより、掛布団２０は、カバー本体１００の内側にて位置ずれをしないよう収納することができる。なお、掛布団２０は、固定用リングを掛布団２０の四隅に加えて側辺にも設けてもよい。
掛布団２０のサイズは、例えば、シングル、シングルロング、セミダブル、セミダブルロング、ダブル、又は、ダブルロングである。なお、本例の掛布団２０のサイズは、シングルであり、縦寸法２１０ｃｍ×横寸法１５０ｃｍである。また、掛布団２０Ａと掛布団２０Ｂとの組み合わせは、上記サイズを適宜選択し組み合わせることができる。また、掛布団２０は、例えば、羽毛、木綿、羊毛、又は、ポリエステルを主として充填した掛布団である。本例の掛布団２０は、羽毛を主として充填した掛布団、すわなち羽毛掛布団である。
【００１９】
図３は、図１及び図２に例示する掛布団２０を例示する図である。図３（Ａ）は、掛布団２０の断面図であり、図３（Ｂ）は、掛布団カバー１０に掛布団２０を入れた状態の断面図である。
また、図３（Ａ）に例示するように、掛布団２０は、幅方向において、中央部の羽毛の充填量より周縁部の羽毛の充填量が少なく形成されている。例えば、掛布団２０において、周縁部の羽毛の充填量は、中央部の羽毛の充填量の７〜９割程度の充填量となっている。本例の掛布団２０において、周縁部の羽毛の充填量は、中央部の羽毛の充填量の８割程度の充填量となっている。これにより、掛布団２０は、厚み方向において、中央部の厚みより、周縁部の厚みが薄く形成されている。
また、図３（Ｂ）に例示するように、掛布団２０Ａは、カバー本体１００の第１の領域１０５に収納し、掛布団２０Ｂは、カバー本体１００の第２の領域１０６に収納している。カバー本体１００に収納された掛布団２０は、掛布団２０Ａの周縁部と、掛布団２０Ｂの周縁部とが積層している。掛布団２０Ａの周縁部と、掛布団２０Ｂの周縁部とが積層する部分（以下、積層部３００と称呼する）の幅は、カバー本体１００の幅方向において、４０ｃｍ以上６０ｃｍ以下の幅であり、本例では５０ｃｍ程度の幅である。
また、本例の掛布団２０の周縁部を積層する場合、中央部に比べて周縁部の羽毛の充填量が少ないため、積層部３００は、掛布団２０の中央部と略同じような厚みか、中央部より僅かに厚くなる程度でありそれほど厚くはならない。さらに、掛布団２０Ａ及びＢの周縁部を積層することにより、空気層を作ることができるため、保温力が保持される。対して、中央部と周縁部との厚みが均一である、いわゆる一般的な掛布団同士の周縁部を積層する場合、積層した部分において厚みが倍となり重くもなるため、空気層を作ることが難しくなる。
【００２０】
図４は、図１及び図２に例示する掛布団カバー１０を詳細に説明する図であり、図４（Ａ）は、掛布団カバー１０の平面図を例示し、図４（Ｂ）は、図４（Ａ）に例示した掛布団カバー１０のＹ-Ｙ線断面図を例示する。
図４に例示するように、カバー本体１００の縦（Ａ）寸法は、例えば２００ｃｍ以上２２０ｃｍ以下であり、本例では２１０ｃｍである。
また、カバー本体１００の横（Ｂ）寸法は、例えば２２５ｃｍ以上２３５ｃｍ以下であり、本例では２３０ｃｍである。ここで、カバー本体１００の横（Ｂ）寸法は、シングルサイズである掛布団２０Ａ及び２０Ｂを幅方向に５０ｃｍ重ねた状態の総幅より１０ｃｍ以上３０ｃｍ以下の範囲で短く設けている。具体的には、シングルサイズである掛布団２０Ａ及び２０Ｂを幅方向に５０ｃｍ重ねた状態で収納できる、本来の横（Ｂ）寸法であれば２５０ｃｍとなるが、本例のカバー本体１００の横（Ｂ）寸法は、２５０ｃｍより２０ｃｍ程度短い、２３０ｃｍとなっている。すなわち、カバー本体１００の横（Ｂ）寸法は、幅方向において一部を重ねた状態の掛布団２０Ａ及び２０Ｂの総幅よりも短く設けている。これにより、掛布団２０Ａ及び２０Ｂの積層部３００の分離を防止することができる。
また、仕切部１１０の幅（Ｃ）寸法は、４０ｃｍ以上６０ｃｍ以下であり、本例では５０ｃｍとなっている。これにより、積層部３００において、掛布団２０Ａ及び２０Ｂを幅方向に５０ｃｍ重ねることができる。
このように、本例の掛布団セット１は、掛布団カバー１０の幅方向において、２つ掛布団２０の一部を積層し、積層した２つ掛布団２０の総幅より短い幅の掛布団カバー１０でカバーすることにより、積層した２つ掛布団２０が分離しにくい一体となった掛布団とすることができる。
【００２１】
以上説明したように、本実施例における掛布団セット１によれば、シングルサイズの２つ掛布団２０を組み合わせ大型掛布団とすることができとともに、使用時において、積層した２つ掛布団２０が分離しにくい一体となった掛布団とすることができる。
また、掛布団セット１は、２つ掛布団２０を積層した積層部３００において、中央部の厚みより薄く形成された周縁部を積層しているため、とりわけ掛布団が嵩張ることはない。よって、使用者は、掛布団セット１の積層部３００の位置で臥位となっても、掛布団２０の中央部と略同じような厚みや重さの下で使用することができる。
【００２２】
また、掛布団セット１は、仕切部１１０を挟む隣り合う位置の２つの角にファスナー１３０を設けることにより、使用者は、カバー本体１００の幅方向に移動することなく、その場で２つ掛布団２０をそれぞれ出し入れすることができるため、カバーの取付け又は取外し作業の短縮化を図ることが期待できる。
【符号の説明】
【００２３】
１…掛布団セット
１０…掛布団カバー
１００…カバー本体
１０５…第１の領域
１０６…第２の領域
１１０…仕切部
１３０…ファスナー
２０…掛布団
３００…積層部
【図１】
2020202905.tif 000003
【図２】
2020202905.tif 000004
【図３】
2020202905.tif 000005
【図４】
2020202905.tif 000006